(57)【要約】【課題】  指紋照合装置を使用するに際して、人体の指紋を用いない代替登録認証を可能とした指紋照合装置用特殊鍵を提供する。【解決手段】  指紋照合センサ部に静電容量式のラインセンサを用いた静電感応型かつスライドタイプの指紋照合装置に用いられる指紋照合装置用特殊鍵１であって、比較的硬質なシート状部材１１の表面１１ａに、指紋に代わる特殊鍵構造部１２と、指紋照合センサ部２１をクリーニングするクリーニング部１３とを配置した構造とし、特殊鍵構造部１２は、例えばシート状部材１１が革素材で形成されており、この革素材を捩じる等して偶発的に形成される皺構造としている。【選択図】  図１
2007025989.tif 000002
【特許請求の範囲】
【請求項１】
指紋照合装置に使用される人の指紋に代わる特殊鍵であって、
比較的硬質なシート状部材の表面に指紋に代わる特殊鍵構造部を配置したことを特徴とする指紋照合装置用特殊鍵。
【請求項２】
前記指紋照合装置は、指紋照合センサ部に指を接触させながらスライドさせることによって指紋を検出するものであり、前記シート状部材の表面には、前記指紋照合センサ部をクリーニングするクリーニング部が設けられていることを特徴とする請求項１に記載の指紋照合装置用特殊鍵。
【請求項３】
前記シート状部材が革素材であり、前記特殊鍵構造部は、当該革素材に形成された皺構造であることを特徴とする請求項１または請求項２に記載の指紋照合装置用特殊鍵。
【請求項４】
前記特殊鍵構造部は、デジタル化された図形が刻印されたものであることを特徴とする請求項１または請求項２に記載の指紋照合装置用特殊鍵。
【請求項５】
前記特殊鍵構造部は静電気に感応する構造であることを特徴とする請求項３または請求項４に記載の指紋照合装置用特殊鍵。
【発明の詳細な説明】
【技術分野】
【０００１】
本発明は、予め登録されている指紋データとの照合を行うことによって個人を識別する指紋照合装置のマスターキーとして使用可能な指紋照合装置用特殊鍵に関する。
【背景技術】
【０００２】
近年、セキュリティーの観点から様々な指紋照合装置が提案されている。この指紋照合装置に使用されるセンサとしては、静電容量式のセンサや、ＣＣＤを利用した光学式センサなどが使用されている。
【０００３】
このような指紋照合装置では、その指紋検出性能の向上が重要な課題となっている。すなわち、乾燥肌体質の人の指紋は検出しにくく、また、指紋の浅い人（例えば、陶芸家や薬剤師など）も検出しにくいため、このような場合の指紋検出精度を上げる技術が種々提案されている（例えば、特許文献１参照）。特許文献１に記載の指紋照合装置は、手荒れなどで紋が乱れているような指紋画像が入力された場合であっても、精度よく指紋の照合を行うことができるものである。
【特許文献１】特開２００４−１９９４３５号公報
【発明の開示】
【発明が解決しようとする課題】
【０００４】
上記特許文献１の指紋照合装置を用いた場合には、従来に比べて検出精度は高くなるものの、どのような人の指でも１００％指紋を検出できるわけではない。また、指先をけがした場合には、そもそも指紋照合自体が不可能となる。
【０００５】
このような事情を考慮すると、指紋照合装置には、何らかの理由により指紋が検出できなかった場合でも、緊急的な対応処置として、本人照合が可能となるように、例えばセキュリティー性の高いマスターキーのようなものがあれば便利である。
【０００６】
本発明はかかる実情に鑑みて創案されたもので、その目的は、指紋照合装置を使用するに際して、人体の指紋を用いない代替登録認証を可能とした指紋照合装置用特殊鍵を提供することにある。
【課題を解決するための手段】
【０００７】
上記課題を解決するため、本発明の指紋照合装置用特殊鍵は、指紋照合装置に使用される人の指紋に代わる特殊鍵であって、比較的硬質なシート状部材の表面に指紋に代わる特殊鍵構造部を配置したことを特徴とする。
【０００８】
この場合、前記指紋照合装置は、指紋照合センサ部に指を接触させながらスライドさせることによって指紋を検出するタイプのものである。つまり、指が指紋照合センサ部に直接触れることになるため、本発明の指紋照合装置用特殊鍵では、前記シート状部材の表面に、前記指紋照合センサ部をクリーニングするクリーニング部が設けられている。これにより、本発明の指紋照合装置用特殊鍵を使用するたびに、クリーニング部によって指紋照合装置の指紋照合センサ部がクリーニングされるため、指の接触によって付着した油脂分や、これに付着した塵やゴミ等を除去することができ、検出精度の低下を防ぐことができる。
【０００９】
ここで、本発明の指紋照合装置用特殊鍵は、前記シート状部材が革素材で形成されており、前記特殊鍵構造部は、当該革素材に形成された皺構造となっている。つまり、真新しい革素材を例えば捩じる等することで、その表面に皺ができる。この皺は指紋と同じく２度と同じ形状のものを作ることはできず、その意味では世の中に１つだけの鍵となる。むろん、皺を作った後は、その表面を透明樹脂等により薄くコーティングすることで、その皺形状を維持するようにする。
【００１０】
また、前記特殊鍵構造部は、革素材を捩じったときに偶発的にできる皺構造ではなく、デジタル化された図形が刻印されたものであってもよい。すなわち、予め作成したデジタル図形を表面に刻印することで、特殊鍵構造部を形成してもよい。なお、このような特殊鍵構造部は、予め指紋照合装置に登録しておくことは当然である。これにより、使用者は、指による指紋照合が何らかの理由でうまくいかなかった場合でも、この指紋照合装置用特殊鍵を使用することで確実に照合することができ、指紋照合装置を利用した例えば扉の施錠、開錠といった操作を確実に行うことが可能となる。
【００１１】
なお、前記特殊鍵構造部は静電気に感応する構造となっている。すなわち、静電容量検出タイプの指紋照合装置に好適に利用されるものである。ただし、光学センサを用いた光学検出タイプの指紋照合装置や、カメラを用いた画像処理による指紋照合装置、さらには感熱式の指紋照合装置にも本発明の指紋照合装置用特殊鍵の利用が可能である。
【発明の効果】
【００１２】
本発明の指紋照合装置用特殊鍵によれば、何らかの理由により指による指紋照合ができなかった場合でも、緊急的な対応処置として本人照合が可能なマスターキーとして使用することができる。これにより、人の体質に関係なく、また気候や使用環境に左右されることなく、確実に登録認証することができる。
【００１３】
また、本発明の指紋照合装置用特殊鍵によれば、特殊鍵構造部を、革素材を捩じる等して偶発的に形成される皺構造としたので、複製が困難であり、セキュリティー性の極めて高い指紋照合装置用特殊鍵を作成することができる。
【００１４】
さらに、本発明の指紋照合装置用特殊鍵によれば、シート状部材の表面に、指紋照合センサ部をクリーニングするクリーニング部が設けられているので、この指紋照合装置用特殊鍵を使用するたびに、クリーニング部によって指紋照合装置の指紋照合センサ部がクリーニングされるため、指の接触によって付着した油脂分や、これに付着した塵やゴミ等を確実に除去してから指紋照合装置用特殊鍵の照合を行うことができる。これにより、指紋照合装置の検出精度を常に高く保つことができる。
【発明を実施するための最良の形態】
【００１５】
以下、本発明の実施の形態について、図面を参照して説明する。
【００１６】
図２は、本実施形態の指紋照合装置用特殊鍵が適用される指紋照合装置の概略構成図である。
【００１７】
この指紋照合装置２は、指紋照合センサ部２１に静電容量式のラインセンサ２２を用いた静電感応型かつスライドタイプの装置であり、指紋照合センサ部２１の表面には、透明樹脂またはガラスが装着されている。指紋照合に際しては、ユーザは、この指紋照合センサ部２１に指先を接触させた状態（図２中に二点鎖線により示す）で、図中矢符Ｘ１方向にスライドさせることによって指紋を検出し、指紋登録認証用制御部２３に予め登録されている指紋と照合して、その一致・不一致を照合するようになっている。なお、このような指紋照合装置２自体の電気的構成については、従来から種々の構成が提案されており、本発明においてもそれらの指紋照合装置を用いることが可能であるため、ここでは詳細な説明を省略する。
【００１８】
図１は、本実施形態の指紋照合装置用特殊鍵の全体構成図である。
【００１９】
本実施形態の指紋照合装置用特殊鍵１は、短冊状に形成された比較的硬質な革素材からなるシート状部材１１からなり、その表面１１ａに、指紋に代わる特殊鍵構造部１２が配置された構造となっている。また、シート状部材１１の表面１１ａには、指紋照合装置２の指紋照合センサ部２１に接触して表面をクリーニングするためのクリーニング部１３が配置されている。このクリーニング部１３と特殊鍵構造部１２とは、シート状部材１１の長手方向に沿うように並べて配置されている。クリーニング部１３は、クリーニング用素材（不織布等）で形成されている。
【００２０】
ここで、特殊鍵構造部１２は、本実施形態では、真新しい革素材を例えば捩じる等してその表面に皺を形成し、その皺構造を指紋に代わる照合対象情報としている。なお、このようにして皺を形成後は、その表面を透明樹脂等により薄くコーティングすることで、その皺構造を維持することができる。このような構造の特殊鍵構造部１２は、静電気に感応する構造となっている。
【００２１】
ただし、特殊鍵構造部１２は、上記皺構造のように偶発的に形成されるものではなく、デジタル化された図形をシート状部材１１の表面１１ａに刻印したものであってもよい。すなわち、予め作成したデジタル図形を表面に刻印することで、特殊鍵構造部１２を形成してもよい。
【００２２】
図３は、上記構成の指紋照合装置用特殊鍵１の使用状態を示している。
【００２３】
すなわち、図３（ａ）に示すように、指紋照合装置用特殊鍵１の表面１１ａが、指紋照合装置２の指紋照合センサ部２１に対向するように、かつ、クリーニング部１３がスライド方向（図中Ｘ１方向）の手前側に来るように、指紋照合装置用特殊鍵１を配置する。次に、この状態で指紋照合装置用特殊鍵１を図中Ｘ１方向にスライドさせると、図３（ｂ）に示すように、まずクリーニング部１３によって指紋照合センサ部２１の表面に付着した油脂分や、これに付着した塵やゴミ等が除去される。この後、指紋照合装置用特殊鍵１をさらにＸ１方向にスライドさせると、図３（ｃ）に示すように、特殊鍵構造部１２が指紋照合センサ部２１の上を通過し、このとき指紋照合センサ部２１によって特殊鍵構造部１２の鍵構造が検出される。
【００２４】
なお、このような特殊鍵構造部１２の鍵構造は、予め指紋照合装置２に登録しておくことは当然である。これにより、使用者は、指による指紋照合が何らかの理由でうまくいかなかった場合でも、この指紋照合装置用特殊鍵１を使用することで確実に照合することができ、指紋照合装置２を利用した例えば扉の施錠、開錠といった操作を確実に行うことが可能となる。
【００２５】
また、上記実施形態では、指紋照合装置用特殊鍵１を、静電容量検出タイプの指紋照合装置に好適に利用されるものとして説明しているが、光学センサを用いた光学検出タイプの指紋照合装置や、カメラを用いた画像処理による指紋照合装置、さらには感熱式の指紋照合装置にも適用可能なものである。この場合、光学センサやカメラを用いた指紋照合装置に対応した指紋照合装置用特殊鍵１では、特殊鍵構造部１２の形状を種々の２次元模様とすることができるため、特殊鍵構造部１２を簡単に形成することができる。
【図面の簡単な説明】
【００２６】
【図１】本発明の指紋照合装置用特殊鍵の一実施形態の全体構成図を示す斜視図である。
【図２】本発明の指紋照合装置用特殊鍵が適用される指紋照合装置の概略構成図である。
【図３】本発明の指紋照合装置用特殊鍵の使用状態を示す説明図である。
【符号の説明】
【００２７】
１  指紋照合装置用特殊鍵
２  指紋照合装置
１１  シート状部材
１２  特殊鍵構造部
１３  クリーニング部
２１  指紋照合センサ部
２２  ラインセンサ
２３  指紋登録認証用制御部
【図１】
2007025989.tif 000003
【図２】
2007025989.tif 000004
【図３】
2007025989.tif 000005